【事件の表示】
　特願２０１２−１５６１２３「音声合成システム」拒絶査定不服審判事件〔平成２６年　２月　３日出願公開、特開２０１４−　２１１３６〕について、次のとおり審決する。
【結　論】
　本件審判の請求は、成り立たない。
【理　由】
１．手続の経緯
　本願は、平成２４年７月１２日の出願であって、平成２５年１２月１９日付け拒絶理由通知に対する応答時、平成２６年３月６日付けで手続補正がなされたが、同年３月２７日付けで拒絶査定がなされ、これに対して、同年６月３０日付けで拒絶査定不服審判の請求及び手続補正がなされた。
　その後、当審による平成２７年３月３日付け拒絶理由通知に対する応答時、同年４月２４日付けで手続補正がなされたものである。
　
２．本願発明
　本願の請求項１ないし１０に係る発明は、平成２７年４月２４日付け手続補正書により補正された特許請求の範囲の請求項１ないし１０に記載された事項により特定されるとおりのものと認められるところ、請求項１に係る発明（以下、「本願発明」という。）は、次のとおりである。
「【請求項１】
　読上用テキストと音声辞書セットとを用いて音声合成をする音声合成システムであって、
　音声を商品として販売し、商品として購入することを可能とするために音声の登録と、登録された音声の利用を可能とする公開されたインターフェイス部と、
　前記インターフェイス部を介して外部端末から音声辞書セット作成用の音声の入力を受付ける音声入力受付部と、
　前記インターフェイス部を介して外部端末から音声の入力者である音声所有者に関する情報であって、音声の特徴を認識する際の判断要素となる固有の情報であって前記音声所有者の外見に関する情報と音声辞書セットの価格を含む登録用情報を受付ける登録用情報受付部と、
　前記入力を受付けた音声から作成する音声辞書セットをその音声の入力者に関する登録用情報と関連付けて保持する音声辞書セット保持部と、
　ユーザから受け付けた前記音声所有者の外見に関する条件と前記固有の情報とが整合する内容の登録用情報と関連付けられている音声辞書セットを前記インターフェイス部を介して表示し、前記インターフェイス部を介して外部端末から音声辞書セット保持部に保持された音声辞書セットを選択できる音声辞書セット選択部と、
　を有するサーバ装置を含む音声合成システム。」
　
３．引用例
３−１．引用例１
　これに対して、当審が通知した拒絶の理由に引用された特開２００２−３５８０９２号公報（以下、「引用例１」という。）には、「音声合成システム」について、図面とともに以下の各記載がある（なお、下線は当審で付与した）。
（１）「【請求項４１】  脚本データと
脚本データを発話する話者の音素データが保存された保存手段と
上記脚本データを発話する話者を選択する選択手段と
上記選択手段で
選択された話者の音素データを上記保存手段より検索し
上記検索手段により
検索された話者の音素データを結合して、上記脚本データを合成音に変換する音声合成処理手段と
上記話者に対応する音素データが選択され上記合成音に変換されたとき、課金処理を行う課金処理手段とを備える音声変換システム
　　　　　　　　・・・・・（中　略）・・・・・
【請求項４３】  
上記脚本データは、
文字データである
【請求項４４】  
上記保存手段には、話者の音素データに対応して韻律データが保存されており
上記検索手段は、上記選択手段により選択された話者の音素データと共に韻律データを検索し、
上記音声合成処理手段は、
音素データと韻律データとにより、上記脚本データを、該脚本データに応じた合成音に変換する
　
（２）「【０００１】
【発明の属する技術分野】
本発明は、ユーザ所望の音素データに基づいて、脚本データ等に応じた合成音を生成することができる音声合成システムに関する。
  
（３）「【００３５】
【発明の実施の形態】以下、本発明が適用された音声合成システムについて、図面を参照して説明する。図１に示すように、
音声合成システム１は、複数の俳優、声優等の音素データが蓄積されたサーバ装置１０と、このサーバ装置１０にアクセス
することができる端末装置２０とを備える。サーバ装置１０と端末装置３０とは、ＩＳＤＮ（Integrated Services Digital Network）回線網、ＣＡＴＶ（Cable Television）回線網、光ケーブル回線網等のネットワーク２を介して接続されおり
　
（４）「【００３７】なお、
サーバ装置１０が端末装置２０に提供する音素データは、どの様なものの音素データであってもよい。例えば、音素データは、国籍を問わず有名人や芸能人（俳優、声優、政治家、男優、女優・・・）の音素データ、世代別（幼児、小学生、中学生、高校生、大学生、社会人・・・）の音素データであってもよい
【００３８】ここで、本発明が適用されたサーバ装置１０について、図２を参照して説明する。
【００３９】この
サーバ装置１０は、
端末装置３０から送信されたデータ等を受信する受信部１１と、複数の話者の音素データが蓄積された音素データベースが構築された第１の記憶部１２と
検索部１５で検索された音素データに基づいて合成音を生成する音声合成処理部１６と
音素データ等をダウンロードしたユーザに介して課金する課金データを生成しユーザ管理データベースに記録する課金処理部１９と、話者毎の料金データベースが構築された第５の記憶部２０と、本システムを提供するホームページを構成する画像データ等が蓄積された蓄積部２１とを備える
　　　　　　　　・・・・・（中　略）・・・・・
【００４１】
第１の記憶部１２は、音素データベースが構築されており、話者別に音素データが保存されている。そして、音素データベースは、例えば話者が男性であるか女性であるか
等で音素データを検索することができるようになっている。
　
（５）「【００４５】音声合成処理部１６は、第１の記憶部１２より読み出した音素データが入力されると共に、検索部１５が第３の記憶部１４より読み出した脚本データやユーザが端末装置３０より送信した脚本データが受信部１１より入力される。そして、
音声合成処理部１６は、検索部１５より入力された音素データと検索部１５又は受信部１１より入力された脚本データに基づいて合成音を生成する
（６）「【００５０】なお、
音声合成部２４は、音素データに加え、ピッチ（音の高低）、パワー（音の強弱）、音の継続時間等からなる韻律データに基づいて合成音を生成するようにしてもよい
　
（７）「【００５３】第４の記憶部１８に構築された
料金データベースには、話者毎の音素データの料金
が保存されている
　
（８）「【０１２２】また、本システム１は、図１６に示すように、脚本データを選択して合成音をダウンロードすることもできる。
【０１２３】すなわち、
ステップＳ１０１において、端末装置３０は、所定のＵＲＬに所在する本システム１のホームページにアクセスする。すると、サーバ装置１０は、蓄積部２１よりホームページを構成する画像データを読み出し端末装置３０に送信する。そして、端末装置３０は、図１７に示すような選択画面９１を構成する画像データをダウンロードする
【０１２４】そして、ステップＳ１０３において、
端末装置３０は、ユーザの操作に応じて話者
を選択する。ここで、図１７に示す選択画面９１について説明すると、この選択画面９１は、話者を選択するために、選択可能な話者が表示される話者一覧表示部９２と、話者を検索するための検索条件を指定するための話者検索条件指定部９３と、検索条件を文字入力することにより話者を検索するための話者検索条件入力部９４と、話者検索条件入力部９４に入力された検索条件に基づいて検索を実行するための検索実行釦９５と
が設けられている
　　　　　　　　　・・・・・（中　略）・・・・・
【０１２７】次に、以上のような選択画面９１を用いて作品と話者を選択する手順について説明する。先ず、ユーザが話者から自分の好きな作品を検索する場合について図１８を参照して説明すると、
ステップＳ１２１において、ユーザは、端末装置３０の操作部３８を操作することによって、話者検索条件指定部９３で男性、女性、話者の頭文字等の条件を入力する。また、ユーザは、話者検索条件入力部９４に話者の氏名を操作部３８で入力し検索実行釦９５をクリックする。すると、端末装置３０は、話者検索条件データをサーバ装置１０に送信し、サーバ装置１０は、話者検索条件データに基づいた話者の氏名データを端末装置３０に送信する。そして、端末装置３０は、ステップＳ１２２において、表示部３７に表示された選択画面９１の話者一覧表示部９２に検索条件に合致した話者の氏名を一覧表示する
【０１２８】
ステップＳ１２３において、ユーザは、操作部３８を操作することによって、話者一覧表示部９２に表示された中の話者を選択する
　
（９）「【０１６１】
【発明の効果】
本発明によれば、保存手段に複数の話者の音素データが蓄積され、ユーザは、所望の音素データを保存手段より読み出すことによって有料で音素データを入手することができる。したがって、ユーザは、所望の脚本データ等の入力データを自分の好きな話者に読ませることができる
　
　・上記引用例１に記載の「音声合成システム」は、上記（２）、（９）の記載事項によれば、複数の話者の音素データの中からユーザが所望する音素データを有料で提供し、その音素データに基づいて、脚本データに応じた合成音を生成することができる音声合成システムに関するものである。
　・上記（３）の記載事項、及び図１によれば、音声合成システム１は、サーバ装置１０と、サーバ装置１０にネットワーク２を介して接続され、サーバ装置１０にアクセスすることができる端末装置２０とを備えるものである。
　・上記（１）の【請求項４１】と【請求項４３】、（４）〜（５）、（７）の記載事項、図２によれば、サーバ装置１０は、複数の話者の音素データが話者別に保存されて音素データベースが構築された第１の記憶部１２や話者毎の料金データベースが構築された第５の記憶部２０と、選択された話者の音素データに基づいて文字データからなる脚本データを合成音に変換する音声合成処理部１６と、選択された話者に対応する音素データに基づいて合成音が生成されたときに課金処理を行う課金処理部１９とを備えるものである。
　なお、第１の記憶部１２の音素データベースは、例えば話者が男性であるか女性であるか等で音素データを検索することができるようになっている。
　・上記（１）の【請求項４４】、（６）の記載事項によれば、音素データに加えて韻律データも保存しておき、これら音素データと韻律データとに基づいて合成音を生成するようにしてもよいものである。
　・上記（１）の【請求項４１】、（８）の記載事項、図１７によれば、サーバ装置１０はさらに、話者を選択する選択手段を備え、具体的には、サーバ装置１０にアクセスした端末装置３０の表示部３７に選択画面９１を表示させ、その選択画面９１において、ユーザが話者を検索するための検索条件（男性、女性等の条件）を入力するとその検索条件データを受信し、検索条件に合致する検索結果は端末装置３０に送信し、当該検索結果は選択画面９１に話者一覧として表示し、ユーザに一覧表示された中から特定の話者を選択させるようにしたものである。
　
　したがって、特に図１７に示される選択画面９１を用いて話者を選択する場合のものに着目し、上記記載事項及び図面を総合勘案すると、引用例１には、次の発明（以下、「引用発明」という。）が記載されている。 
「複数の話者の音素・韻律データの中からユーザが所望する音素・韻律データを有料で提供し、その音素・韻律データに基づいて、文字データからなる脚本データに応じた合成音を生成する音声合成システムであって、
　サーバ装置と、当該サーバ装置にネットワークを介して接続され、当該サーバ装置にアクセスすることができる端末装置とを備え、
　前記サーバ装置は、
　複数の話者の音素・韻律データが話者別に保存されて音素・韻律データベースが構築された記憶部や、話者毎の料金データベースが構築された記憶部と、
　選択された話者の音素・韻律データに基づいて前記脚本データを合成音に変換する音声合成処理部と、
　選択された話者に対応する音素・韻律データに基づいて合成音が生成されたときに課金処理を行う課金処理部とを備え、
　前記音素・韻律データベースは、例えば話者が男性であるか女性であるか等で音素・韻律データを検索することができるようになっており、
　前記サーバ装置はさらに、当該サーバ装置にアクセスした前記端末装置の表示部に選択画面を表示させ、その選択画面において、ユーザが話者を検索するための検索条件（男性、女性等の条件）を入力するとその検索条件データを受信し、検索条件に合致する検索結果を前記端末装置に送信し、当該検索結果は前記選択画面に話者一覧として表示され、ユーザに一覧表示された中から特定の話者を選択させるようにした選択手段を備える音声合成システム。」 
　
３−２．引用例２
　同じく当審が通知した拒絶の理由に引用された特開２００７−１６３８７５号公報（以下、「引用例２」という。）には、図面とともに以下の各記載がある（なお、下線は当審で付与した）。
（１）「【請求項１】
  
ネットワークに接続可能な音声合成装置であって、
  
前記ネットワークに接続された第１の端末から音声データと話者を識別するための話者識別情報とを受信する音声受信手段と
  前記受信された音声データに基づいて、音素ごとの音声波形データを生成する音声波形データ生成手段と、
  前記受信された話者識別情報と前記生成された音声波形データとを関連付けて記憶する音声波形データ記憶手段と、
  テキストデータを取得するテキストデータ取得手段と、
  前記ネットワークに接続された第２の端末から話者識別情報を受付ける話者受付手段と、
  前記受付けられた話者識別情報に関連付けられた音声波形データに基づいて、受信されたテキストデータを音声合成して音声合成データを生成する音声合成手段と、
  前記生成された音声合成データを前記第２の端末に送信する音声送信手段と、を備えた音声合成装置。」
　
（２）「【００１５】
  図１は、本発明の実施の形態の一つにおける音声合成システムの全体概要を示す図である。図１を参照して、
音声合成システム１は、それぞれがインターネット２に接続された、音声合成装置１００と、２台のパーソナルコンピュータ（以下「ＰＣ」という）１０１，１０２と、携帯電話１０３Ａ，１０３Ｂとを含む
　　　　　　　　・・・・・（中　略）・・・・・
【００１７】
  本実施の形態における音声合成システム１では、話者および聴者がＰＣ１０１，１０２および携帯電話１０３Ａ，１０３Ｂのいずれかを操作する。ここでは、話者が携帯電話１０３Ａを操作し、聴者がＰＣ１０１を操作する場合を例に説明する。なお、話者と聴者が同一の端末、例えばＰＣ１０１を操作してもよい。
音声合成システム１では、まず、話者が携帯電話１０３Ａを操作して、音声を音声合成装置１００に送信すると、音声合成装置１００は、受信した音声から音声波形データを生成して記憶する
話者を指定すると、音声合成装置１００は、記憶されている話者の音声波形データを用いて、指定されたコンテンツのテキストデータを音声合成して、生成した合成音声データをＰＣ１０１に送信する
　
（３）「【００２３】
  
音声取得部１５１は、携帯電話１０３Ａを操作する話者の音声を取得する。具体的には、話者が音声を入力するための音声入力画面を含むＷｅｂページがＨＤＤ１３に記憶されており、音声取得部１５１は、携帯電話１０３Ａから音声入力画面を含むＷｅｂページへのアクセスが通信Ｉ／Ｆ１７を介して受信されると、音声入力画面を含むＷｅｂページを読み出して携帯電話１０３Ａに送信する。話者が携帯電話１０３Ａのディスプレイに表示されたＷｅｂページの表示内容に従って、音声を入力すると、携帯電話１０３Ａは、入力された音声を音声データに変換して音声合成装置１００に送信する。音声取得部１５１は、携帯電話１０３Ａから送信される音声データを通信Ｉ／Ｆ１７を介して受信することにより、音声データを取得する
入力される音声データから音素ごとの音声波形データを抽出することにより、音素ごとの音声波形データを生成する
【００２４】
  
話者識別情報取得部１５３は、携帯電話１０３Ａを操作する話者を識別するための話者識別情報を取得する。話者識別情報は、話者を識別可能な情報であればよく、ここではユーザ毎に与えられるユニークなユーザ識別情報を用いている。上述した話者が音声を入力するためのＷｅｂページは、話者に話者識別情報の入力を促す表示を含んでおり、音声取得部１５１がＷｅｂページを携帯電話１０３Ａに送信し、話者が携帯電話１０３Ａのディスプレイに表示されたＷｅｂページの表示内容に従って、話者識別情報を入力すると、携帯電話１０３Ａは、入力された話者識別情報を音声合成装置１００に送信する
話者識別情報取得部１５３は、携帯電話１０３Ａから話者識別情報を受信すると、話者識別情報を関連付部１５４および許可者データ生成部１６２に出力する
　
　上記記載事項及び図面を総合勘案すると、引用例２には、次の技術事項が記載されている。 
「それぞれネットワーク（インターネット）に接続された音声合成装置と携帯電話等の端末とを含み、前記音声合成装置は指定（選択）された話者の音声波形データを用いてテキストデータを音声合成することができる音声合成システムにおいて、
　前記携帯電話等の端末を操作する話者自身が、当該携帯電話等の端末から音素ごとの音声波形データを抽出するための音声と、話者を識別するための話者識別情報とを入力すること。」 
　
３−３．引用例３
　同じく当審が通知した拒絶の理由に引用された特表２００６−５０６７３４号公報（以下、「引用例３」という。）には、図面とともに以下の各記載がある（なお、下線は当審で付与した）。
（１）「【００２２】
  
本発明の目的及び概要
  本発明の目的は、全てが
インターネット又は他の通信手段を介して通信する
グラフィック・アート画像であるデジタル・コンテンツの取引のためのシステム
　
（２）「【００３５】
  以下、本発明に係る方法及びシステムの構成要素を詳細に説明する。
  図４は、図３の
ピア・ツー・ピア・サービス・ユニット１００
【００３６】
  
ピア・ツー・ピア・サービス１００は、以下の４つの主要なユニットを備える
１．全てのネットワーク接続されたシステム及び他のシステムの動作を制御及び実行するためにコンピュータ・サーバ上で実行される、本技術分野において知られるソフトウェア・コンポーネントであり得るシステム制御及びロジック・ユニット１５０。
２．本
技術分野において知られる記憶装置を用いて、以下のデータを蓄積する画像属性ＤＢ１６０。即ち
  ａ．
例えば、（ウェブ上の）高解像度の画像へのポインタ、高解像度の画像のサムネイル
価格情報
を含む画像属性
  ｂ．画像発行者１１０のリスト、及び各画像発行者のインターネット・アドレス、及び
  ｃ．グラフィック・アート購入者１２０のリスト、及び各購入者のインターネット・アドレス
のデータを蓄積する。
３．蓄積画像取引のための支払請求メカニズムを提供する請求システム１７０。このシステムは、例えばカリフォルニア州マウンテンビューのＰａｙＰａｌ（ｅＢａｙ社）のような既存のネットワーク接続された請求システムに基づいてもよい。
４．サービスをウェブ５０にリンクするウェブ・サーバ４２。
【００３７】
  自身のレポジトリ１９に独自の画像を所有し、それらの
画像の権利の販売を望む画像発行者１１０は、画像のサムネイルをピア・ツー・ピア・システムにアップロードすることにより、これらの画像を登録３１する。各サムネイルについて、例えば
価格表を含む画像のメタデータを記載するフォームが提出される
　
　上記記載事項及び図面を総合勘案すると、引用例３には、次の技術事項が記載されている。 
「インターネット又は他の通信手段を介して画像であるデジタル・コンテンツをピア・ツー・ピアで取引するためのシステムにおいて、
　ピア・ツー・ピア・サービス・ユニットに対してユーザが外部端末から画像を登録する際に価格情報も登録すること。」 
　
４．対比
　そこで、本願発明と引用発明とを対比すると、
（１）引用発明における「文字データからなる脚本データ」、「音声合成システム」は、それぞれ本願発明における「読上用テキスト」、「音声合成システム」に相当し、
　また、本願発明でいう「音声辞書セット」とは、具体的には本願の発明の詳細な説明（例えば段落【００１７】、【００２２】）によれば、話者の音声データと音素や韻律のモデルを意味するものであることから、引用発明における「音声・韻律データ」は、本願発明における「音声辞書セット」に相当するといえ、
　引用発明における「複数の話者の音素・韻律データの中からユーザが所望する音素・韻律データを有料で提供し、その音素・韻律データに基づいて、文字データからなる脚本データに応じた合成音を生成する音声合成システムであって」によれば、
　合成音を生成、すなわち音声合成をするために文字データからなる脚本データと音素・韻律データとを用いるものであるから、
　本願発明と引用発明とは、「読上用テキストと音声辞書セットとを用いて音声合成をする音声合成システムであって」の点で一致する。
　
（２）引用発明における「サーバ装置」は、本願発明における「サーバ装置」に相当し、
　引用発明における「複数の話者の音素・韻律データの中からユーザが所望する音素・韻律データを有料で提供し、・・・・合成音を生成する音声合成システムであって、サーバ装置と、当該サーバ装置にネットワークを介して接続され、当該サーバ装置にアクセスすることができる端末装置とを備え、前記サーバ装置は、複数の話者の音素・韻律データが話者別に保存されて音素・韻律データベースが構築された記憶部や、話者毎の料金データベースが構築された記憶部と、・・・・選択された話者に対応する音素・韻律データに基づいて合成音が生成されたときに課金処理を行う課金処理部とを備え」によれば、
　引用発明のサーバ装置においても、その記憶部に保存（登録）されている話者の音素・韻律データについては、当該サーバ装置にネットワークを介してアクセスすることができる端末装置を利用するユーザに対して音声合成のために有料にて提供することが可能に構成されたものであり、このことは、話者の音声を商品として販売し、これを商品として購入することを可能とするために、保存（登録）された音声のネットワークを介しての利用を可能としているということができ、当然、そのために必要な本願発明でいう「公開されたインターフェイス部」を有するといえる。
　したがって、本願発明と引用発明とは、後述の相違点はあるものの「音声を商品として販売し、商品として購入することを可能とするために、登録された音声の利用を可能とする公開されたインターフェイス部と」をサーバ装置が有する点で共通する。
　
（３）引用発明における「前記サーバ装置は、複数の話者の音素・韻律データが話者別に保存されて音素・韻律データベースが構築された記憶部や、話者毎の料金データベースが構築された記憶部と、・・・・を備え、前記音素・韻律データベースは、例えば話者が男性であるか女性であるか等で音素・韻律データを検索することができるようになっており」によれば、
 (a)話者が男性であるか女性であるかの情報は、本願発明でいう「音声所有者に関する情報であって、音声の特徴を認識する際の判断要素となる固有の情報」に相当するものであり、
　そして、音素・韻律データベースは、このような話者が男性であるか女性であるかといった情報をキーとして話者の音素・韻律データを検索することができるようになっているということは、これらキーとなる情報も音素・韻律データと関連付けられて話者別に保存されていることは自明なことといえ、また、これらキーとなる情報を何らかの方法によってサーバ装置が受付ける（サーバ装置に入力する）ための受付部（入力部）を有することも当然のことである。
 (b)また、話者毎の料金データベースに保存されている「料金」は、本願発明でいう、音声辞書セットの「価格」に相当するといえる。
　以上のことを踏まえると、引用発明の「音素・韻律データベースが構築された記憶部」及び「料金データベースが構築された記憶部」は、本願発明でいう「音声辞書セット保持部」に相当するとみることができ、本願発明と引用発明とは、後述の相違点を除いて「音声所有者に関する情報であって、音声の特徴を認識する際の判断要素となる固有の情報と音声辞書セットの価格を含む登録用情報を受付ける登録用情報受付部と、音声から作成する音声辞書セットをその音声の［所有］者に関する登録用情報と関連付けて保持する音声辞書セット保持部と」をサーバ装置が有する点で共通するということができる。
　
（４）引用発明における「端末装置」は、本願発明における「外部端末」に相当し、
　引用発明における「前記音素・韻律データベースは、例えば話者が男性であるか女性であるか等で音素・韻律データを検索することができるようになっており、前記サーバ装置はさらに、当該サーバ装置にアクセスした前記端末装置の表示部に選択画面を表示させ、その選択画面において、ユーザが話者を検索するための検索条件（男性、女性等の条件）を入力するとその検索条件データを受信し、検索条件に合致する検索結果を前記端末装置に送信し、当該検索結果は前記選択画面に話者一覧として表示され、ユーザに一覧表示された中から特定の話者を選択させるようにした選択手段を備える・・」によれば、
 (a)ユーザが話者を検索するために入力する検索条件（男性、女性等の条件）は、少なくとも音声所有者に関する条件ということができ、
 (b)引用発明の「選択手段」は、検索結果をサーバ装置とネットワークを介して接続された端末装置に送信して当該検索結果を端末装置の選択画面に話者一覧として表示させ、ユーザに一覧表示された中から特定の話者を選択させるようにしたものであることから、本願発明における「音声辞書セット選択部」に相当するといえ、
　したがって、本願発明と引用発明とは、後述の一応の相違点はあるものの「ユーザから受け付けた前記音声所有者に関する条件と前記固有の情報とが整合する内容の登録用情報と関連付けられている音声辞書セットを前記インターフェイス部を介して表示し、前記インターフェイス部を介して外部端末から音声辞書セット保持部に保持された音声辞書セットを選択できる音声辞書セット選択部と」をサーバ装置が有する点で共通する。
　
　よって、本願発明と引用発明とは、
「読上用テキストと音声辞書セットとを用いて音声合成をする音声合成システムであって、
　音声を商品として販売し、商品として購入することを可能とするために、登録された音声の利用を可能とする公開されたインターフェイス部と、
　音声所有者に関する情報であって、音声の特徴を認識する際の判断要素となる固有の情報と音声辞書セットの価格を含む登録用情報を受付ける登録用情報受付部と、
　前記入力を受付けた音声から作成する音声辞書セットをその音声の［所有］者に関する登録用情報と関連付けて保持する音声辞書セット保持部と、
　ユーザから受け付けた前記音声所有者に関する条件と前記固有の情報とが整合する内容の登録用情報と関連付けられている音声辞書セットを前記インターフェイス部を介して表示し、前記インターフェイス部を介して外部端末から音声辞書セット保持部に保持された音声辞書セットを選択できる音声辞書セット選択部と、
　を有するサーバ装置を含む音声合成システム。」
である点で一致し、次の点で相違する。
　
［相違点１］
　本願発明では、サーバ装置が「前記インターフェイス部を介して外部端末から音声辞書セット作成用の音声の入力を受付ける音声入力受付部」を有し、さらに、音声所有者に関する情報である登録用情報（音声の特徴を認識する際の判断材料となる固有の情報と音声辞書セットの価格を含む）を受付ける登録用情報受付部についても、本願発明では、「前記インターフェイス部を介して外部端末から」音声所有者自身によって入力されるものである旨特定するのに対し、引用発明では、そのような特定を有していない点。
　
［相違点２］
　登録用情報に含まれる音声の特徴を認識する際の判断材料となる固有の情報と、ユーザから受け付ける音声所有者に関する条件について、本願発明では、それぞれ音声所有者の「外見」に関する情報、音声所有者の「外見」に関する条件である旨特定するのに対し、引用発明では、男性、女性等の情報・条件である点。
　
５．判断
　上記相違点について検討する。
［相違点１］について
　引用例２（上記「３−２．」を参照）には、「それぞれネットワーク（インターネット）に接続された音声合成装置と携帯電話等の端末とを含み、前記音声合成装置は指定（選択）された話者の音声波形データを用いてテキストデータを音声合成することができる音声合成システムにおいて、前記携帯電話等の端末を操作する話者自身が、当該携帯電話等の端末から音素ごとの音声波形データを抽出するための音声と、話者を識別するための話者識別情報（登録用情報）とを入力する」ようにした技術事項が記載されており、引用発明においても、音素・韻律データを作成するための音声と、音声所有者に関する情報である登録用情報（音声の特徴を認識する際の判断材料となる固有の情報としての男性、女性といった情報も含む）の入力をネットワークに接続された端末装置から行うようにし、当該相違点１に係る構成とすることは当業者であれば容易になし得ることである。
　なお、サーバ装置に販売目的のコンテンツをユーザが外部端末から入力（登録）する際、コンテンツの価格についてはユーザ側で定めるか、あるいはサーバ装置を管理する側で定めるかのいずれかが考えられるが、例えば引用例３（上記「３−３．」を参照）には、「インターネット又は他の通信手段を介して画像であるデジタル・コンテンツをピア・ツー・ピアで取引するためのシステムにおいて、ピア・ツー・ピア・サービス・ユニットに対してユーザが外部端末から画像を登録する際に価格情報も登録すること」、つまり、コンテンツは画像であるものの、ユーザが外部端末から登録用情報として価格情報も入力（登録）するようにした技術事項が記載されており、引用発明において、上記のように端末装置から登録用情報を入力する際、これに価格を含むようにすることも当業者が適宜なし得ることである。
　
［相違点２］について
　本願の発明の詳細な説明を参照しても、音声所有者の「外見」に関する情報・条件についての明記（定義）はなされておらず、本願発明でいう音声所有者の「外見」に関する情報・条件が、例えば図３に例示されている「似ている有名人」といった情報のみを限定的に意味しているものとは解し得ない。
　そして、引用発明において、ユーザが話者を検索するためキーとなる「男性、女性」といった情報・条件であっても、広い意味では音声所有者の「外見」に関する情報・条件であるとみることもでき、この点において当該相違点２は実質的に相違点とはならない。
　なお仮に、「男性、女性」といった情報・条件が、ただちに音声所有者の「外見」に関する情報・条件であるとまではみることができないとしたとても、引用例には、音素（・韻律）データは世代別であってもよいことが記載（上記「３−１．（４）」を参照）されており、引用発明において、ユーザが話者を検索するためキーとしてこのような世代あるいは年代といった情報・条件も加えることによって、本願発明と同様に音声所有者の「外見」に関する情報・条件を用いる構成とすることも当業者であれば適宜なし得ることである。
　
　そして、上記相違点を総合的に判断しても本願発明が奏する効果は、引用発明及び引用例２，３に記載の技術事項から当業者が予測できたものであって、格別顕著なものがあるとはいえない。 
　
６．むすび
　以上のとおり、本願の請求項１に係る発明は、引用発明及び引用例２，３に記載の技術事項に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。